(57)【要約】デバイス間通信に関する通信手順を効率的に行うことが可能な端末装置、基地局装置、通信システム、通信方法および集積回路に関する技術を提供する。端末装置との直接通信が可能な端末装置が、直接通信に興味がある場合に、在圏セルの周波数で直接通信に関するデータの送受信が可能ではなく、かつ、周辺セルの周波数で直接通信に関するデータの送受信が可能であるかどうかを、端末装置がサポートする周波数バンドの組み合わせに関する能力情報と、在圏セルの周波数と、周辺セルの周波数と、に基づいて判断し、直接通信に関するデータの送受信が可能な周辺セルの周波数において、周辺セルを選択するための評価を開始する。
2016006560.tif 000002
【特許請求の範囲】
【請求項１】
端末装置との直接通信が可能な端末装置であって、
直接通信に興味がある場合に、在圏セルの周波数で直接通信に関するデータの送受信が可能ではなく、かつ、周辺セルの周波数で直接通信に関するデータの送受信が可能であるかどうかを判断し、直接通信に関するデータの送受信が可能な前記周辺セルの周波数において、前記周辺セルを選択するための評価を開始し、
前記判断は、前記端末装置がサポートする周波数バンドの組み合わせに関する能力情報と、前記在圏セルの周波数と、前記周辺セルの周波数と、に基づいて行われる端末装置。
【請求項２】
直接通信をサポートする前記周辺セルの周波数の優先度を最も高いとみなして前記周辺セルの評価を行う請求項１に記載の端末装置。
【請求項３】
前記在圏セルの周波数で直接通信に関するデータの送受信が可能である場合、前記在圏セルで直接通信を実行する請求項１に記載の端末装置。
【請求項４】
端末装置との直接通信が可能な端末装置の通信方法であって、
直接通信に興味がある場合に、在圏セルの周波数で直接通信に関するデータの送受信が可能ではなく、かつ、周辺セルの周波数で直接通信に関するデータの送受信が可能であるかどうかを判断するステップと、直接通信に関するデータの送受信が可能な前記周辺セルの周波数において、前記周辺セルを選択するための評価を開始するステップと、を少なくとも含み、
前記判断は、前記端末装置がサポートする周波数バンドの組み合わせに関する能力情報と、前記在圏セルの周波数と、前記周辺セルの周波数と、に基づいて行われる通信方法。
【請求項５】
直接通信をサポートする前記周辺セルの周波数の優先度を最も高いとみなして前記周辺セルの評価を行うステップと、を更に含む請求項４に記載の通信方法。
【請求項６】
前記在圏セルの周波数で直接通信に関するデータの送受信が可能である場合、前記在圏セルで直接通信を実行するステップと、を更に含む請求項４に記載の通信方法。
【請求項７】
端末装置との直接通信が可能な端末装置に実装される集積回路であって、
直接通信に興味がある場合に、在圏セルの周波数で直接通信に関するデータの送受信が可能ではなく、かつ、周辺セルの周波数で直接通信に関するデータの送受信が可能であるかどうかを判断する機能と、直接通信に関するデータの送受信が可能な前記周辺セルの周波数において、前記周辺セルを選択するための評価を開始する機能とのうち、少なくとも一つの機能を前記端末装置に対して発揮させる集積回路。
【発明の詳細な説明】
【技術分野】
【０００１】
本発明は、デバイス間通信に関する通信手順を効率的に行うことが可能な端末装置、基地局装置、通信システム、通信方法および集積回路に関する。
本願は、２０１４年７月８日に、日本に出願された特願２０１４−１４０１０２号に基づき優先権を主張し、その内容をここに援用する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）の標準化が行なわれた。ＥＵＴＲＡは、ＬＴＥ（Ｌｏｎｇ  Ｔｅｒｍ  Ｅｖｏｌｕｔｉｏｎ）とも称する場合がある。【０００３】
また、３ＧＰＰでは、より高速なデータ伝送を実現し、ＬＴＥに対して上位互換性を持つＬＴＥ  Ａｄｖａｎｃｅｄの検討を行っている（ＬＴＥ−Ａとも称する）。【０００４】
ＬＴＥ  Ａｄｖａｎｃｅｄにおいて、デバイス装置（端末装置）からデバイス装置（端末装置）へ直接通信を行う技術について検討されている。この、デバイス装置からデバイス装置への直接通信のことを、Ｄ２Ｄ（Ｄｅｖｉｃｅ  ｔｏ  Ｄｅｖｉｃｅ）、またはデバイス間通信と称する。なお、３ＧＰＰにおいて標準化されるＤ２Ｄのことを、特にＬＴＥ−Ｄ２Ｄ、またはＬＴＥ−Ｄｉｒｅｃｔとも称する。【０００５】
Ｄ２Ｄにおいて、近接した端末装置間のサービス（Ｐｒｏｘｉｍｉｔｙ  ｂａｓｅｄ  Ｓｅｒｖｉｃｅｓ：ＰｒｏＳｅ）を実現するために、近接している端末装置を発見（Ｄｉｓｃｏｖｅｒｙ）するための方法や、端末装置同士が直接通信（Ｄｉｒｅｃｔ  ｃｏｍｍｕｎｉｃａｔｉｏｎ）を可能とするための方法などが３ＧＰＰで検討されている（非特許文献１）。【０００６】
また、非特許文献２では、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）に興味のあるアイドル状態の端末装置が、ＭＢＭＳに関するサービス（ＭＢＭＳサービス）を提供している周波数にキャンプしている場合のみ、かかるＭＢＭＳに関するサービスの受信が可能である場合に、セル再選択手順において、このＭＢＭＳに関するサービスを提供している周波数の優先度を最も高くすることによって、かかるＭＢＭＳに関するサービスを継続可能とする方法などが記載されている。【０００７】
また、非特許文献３では、非特許文献２と同様の技術を用いることによって、Ｄ２Ｄに興味のあるアイドル状態の端末装置が、セル再選択手順においてＤ２Ｄの送受信が可能な周波数（Ｄ２Ｄのサービスを提供可能な周波数）の優先度を最も高くすることによって、Ｄ２Ｄに関するサービスの送信または受信を可能とする方法などが記載されている。
【先行技術文献】
【非特許文献】
【０００８】
【非特許文献１】３ＧＰＰ  ＴＳ  ３６．８４３  Ｖ１２．０．１（２０１４−０３）ｈｔｔｐ：／／ｗｗｗ．３ｇｐｐ．ｏｒｇ／ＤｙｎａＲｅｐｏｒｔ／３６８４３．ｈｔｍ
【非特許文献２】３ＧＰＰ  ＴＳ  ３６．３０４  Ｖ１２．０．０（２０１４−０３）ｈｔｔｐ：／／ｗｗｗ．３ｇｐｐ．ｏｒｇ／ＤｙｎａＲｅｐｏｒｔ／３６３０４．ｈｔｍ
【非特許文献３】Ｒ２−１４２６３１，ＬＧ  Ｅｌｅｃｔｒｏｎｉｃｓ  Ｉｎｃ．，  Ｋｏｒｅａ，  １９  −  ２３  Ｍａｙ  ２０１４．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８６／Ｄｏｃｓ／Ｒ２−１４２６３１．ｚｉｐ
【発明の概要】
【発明が解決しようとする課題】
【０００９】
Ｄ２Ｄに興味のあるアイドル状態の端末装置は、非特許文献３の方法を用いることよって、Ｄ２Ｄに関するサービスの送信または受信に興味がある場合に、Ｄ２Ｄの送信または受信が可能な周波数を優先的に選択することができる。しかしながら、Ｄ２Ｄに興味のある端末装置が数多く存在する場合、Ｄ２Ｄの送信または受信が可能な周波数（セル）に端末装置が集中してキャンプすることになり、かかる周波数（セル）の基地局装置のキャパシティを超えてしまう（オーバーロード）という問題がある。【００１０】
また、Ｄ２Ｄは上りリンクのリソースを用いて行われるため、特にＦＤＤの場合、Ｄ２Ｄの送信または受信が可能な周波数には優先度が設定されておらず、従来の周波数の優先度を変更する方法が適用できないという別の問題がある。【００１１】
本発明は、デバイス間通信に関する通信手順を効率的に行うことが可能な端末装置、基地局装置、通信システム、通信方法および集積回路に関する技術を提供する。
【課題を解決するための手段】
【００１２】
本発明の一つの実施形態における端末装置は、直接通信に興味がある場合に、在圏セルの周波数で直接通信に関するデータの送受信が可能ではなく、かつ、周辺セルの周波数で直接通信に関するデータの送受信が可能であるかどうかを判断し、直接通信に関するデータの送受信が可能な周辺セルの周波数において、周辺セルを選択するための評価を開始し、かかる判断は、端末装置がサポートする周波数バンドの組み合わせに関する能力情報と、在圏セルの周波数と、周辺セルの周波数と、に基づいて行われる、端末装置との直接通信が可能な端末装置である。【００１３】
また、本発明の他の実施形態における端末装置は、直接通信をサポートする周辺セルの周波数の優先度を最も高いとみなして周辺セルの評価を行う。【００１４】
また、本発明の他の実施形態における端末装置は、在圏セルの周波数で直接通信に関するデータの送受信が可能である場合、在圏セルで直接通信を実行する。【００１５】
このような手段を用いることによって、端末装置は、デバイス間通信に関する通信手順を効率的に行うことが可能となる。【００１６】
また、本発明の一つの実施形態における端末装置の通信方法は、直接通信に興味がある場合に、在圏セルの周波数で直接通信に関するデータの送受信が可能ではなく、かつ、周辺セルの周波数で直接通信に関するデータの送受信が可能であるかどうかを判断するステップと、直接通信に関するデータの送受信が可能な周辺セルの周波数において、周辺セルを選択するための評価を開始するステップと、を少なくとも含み、かかる判断は、端末装置がサポートする周波数バンドの組み合わせに関する能力情報と、在圏セルの周波数と、周辺セルの周波数と、に基づいて行われるステップと、を少なくとも含む、端末装置との直接通信が可能な端末装置の通信方法である。【００１７】
また、本発明の他の実施形態における端末装置の通信方法は、直接通信をサポートする周辺セルの周波数の優先度を最も高いとみなして周辺セルの評価を行うステップと、を更に含む。【００１８】
また、本発明の他の実施形態における端末装置の通信方法は、在圏セルの周波数で直接通信に関するデータの送受信が可能である場合、在圏セルで直接通信を実行するステップと、を更に含む。【００１９】
このような手段を用いることによって、端末装置は、デバイス間通信に関する通信手順を効率的に行う通信方法を備えることが可能となる。【００２０】
また、本発明の一つの実施形態における端末装置の集積回路は、直接通信に興味がある場合に、在圏セルの周波数で直接通信に関するデータの送受信が可能ではなく、かつ、周辺セルの周波数で直接通信に関するデータの送受信が可能であるかどうかを判断する機能と、直接通信に関するデータの送受信が可能な周辺セルの周波数において、周辺セルを選択するための評価を開始する機能とのうち、少なくとも一つの機能を端末装置に対して発揮させる、端末装置との直接通信が可能な端末装置に実装される集積回路である。【００２１】
このような手段を用いることによって、端末装置の集積回路は、端末装置に対し、デバイス間通信に関する通信手順を効率的に行う機能を発揮させることが可能となる。【００２２】
本明細書では、効率的な通信手順を行う端末装置、基地局装置、通信システム、通信方法および集積回路に関する技術という点において各実施形態を開示するが、各実施形態に対して適用可能な通信方式は、ＥＵＴＲＡ（ＬＴＥ、ＬＴＥ−Ａ）で使用される通信方式に限定されるものではない。【００２３】
例えば、本明細書で述べられる技術は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、およびその他のアクセス方式等を用いた、種々の通信システムにおいて使用され得る。また、本明細書において、システムとネットワークは同義的に使用され得る。
【発明の効果】
【００２４】
本発明の実施形態によれば、効率的な通信手順を行う端末装置、基地局装置、通信システム、通信方法および集積回路に関する技術を提供することが出来る。
【図面の簡単な説明】
【００２５】
【図１】本発明の実施形態に関わる端末装置の概略構成の一例を示すブロック図である。
【図２】本発明の実施形態に関わる基地局装置の概略構成の一例を示すブロック図である。
【図３】本発明の第１の実施形態におけるセルの選択に関するフローチャート図の一例を示したものである。
【図４】本発明の第１の実施形態の端末装置において送受信が可能な周波数バンドの組み合わせの一例を示した図である。
【図５】本発明の第１の実施形態において基地局装置から端末装置へと通知される情報のデータ構造の一例を示したものである。
【図６】本発明の第１の実施形態において基地局装置から端末装置へと通知される情報のデータ構造の別の一例を示したものである。
【図７】本発明の第１の実施形態におけるセルの選択に関するフローチャート図の別の一例を示したものである。
【図８】本発明の第１の実施形態の端末装置において自律的なギャップを用いてＤ２Ｄをサポートする周波数の送受信を行う場合の一例を示した図である。
【図９】Ｄ２Ｄを送信する端末装置と、Ｄ２Ｄを受信する端末装置とがＤ２Ｄの通信を行う場合の一例を示したフローチャート図である。
【発明を実施するための形態】
【００２６】
本発明の各実施形態に関わる技術について以下に簡単に説明する。
【００２７】
[物理チャネル／物理シグナル]
ＥＵＴＲＡ（ＬＴＥ、ＬＴＥ−Ａ）で使用される主な物理チャネル、物理シグナルについて説明を行なう。チャネルとは信号の送受信に用いられる媒体を意味し、物理チャネルとは信号の送受信に用いられる物理的な媒体を意味する。本発明において、物理チャネルは、信号と同義的に使用され得る。なお、物理チャネルは、ＥＵＴＲＡ（ＬＴＥ、ＬＴＥ−Ａ）を発展させた通信システムにおいて、チャネル種別の追加、または、その構造やフォーマット形式が変更または追加される可能性があるが、そのような場合でも本発明の各実施形態の説明には影響しない。
【００２８】
ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２９】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。端末装置は、セルサーチによって受信した同期シグナルの物理セルＩＤを特定する。
【００３０】
物理報知情報チャネル（PBCH; Physical Broadcast Channel）は、セル内の端末装置で共通に用いられるマスター制御情報を通知（設定）する目的で送信される。基地局装置は、物理報知情報チャネルによってマスターインフォメーションブロック（MIB; Master information block）メッセージを通知（送信）する。マスターインフォメーションブロックメッセージで端末装置に通知（設定）される情報は、下りリンク周波数帯域幅、システムフレームナンバー、およびＨｙｂｒｉｄ  ＡＲＱに関する物理チャネル（ＰＨＩＣＨ）の設定情報である。
【００３１】
基地局装置は、マスターインフォメーションブロック以外のセル共通情報（報知情報）を、サブフレーム位置と周期が固定的に定まるシステムインフォメーションブロック  タイプ１（SIB1; System information block Type1）メッセージと、レイヤ３メッセージ（ＲＲＣメッセージ）であるシステムインフォメーションメッセージによって送信する。システムインフォメーションメッセージは、物理下りリンク制御チャネルで示される無線リソースにおいて、物理下りリンク共用チャネルを用いて通知され、その用途に応じてシステムインフォメーションブロック  タイプ２〜タイプｎ（ＳＩＢ２〜ＳＩＢｎ（ｎは自然数））をそれぞれ通知する。
【００３２】
報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報、送信タイミング調整情報、セル毎の共通無線リソース設定情報、同周波数（異周波数、異ＲＡＴ）の周辺セル情報（Neighboring cell list）、上りリンクアクセス制限情報などが通知される。
【００３３】
下りリンクリファレンスシグナルは、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと一緒に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００３４】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）と称され、物理下りリンク制御チャネル、拡張物理下りリンク制御チャネル、または物理下りリンク共用チャネルを復調するときのチャネルの伝搬路補償処理のために参照される。
【００３５】
物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する制御情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３６】
端末装置は、レイヤ２メッセージ（ＭＡＣ−ＣＥ（ＭＡＣ制御要素））およびレイヤ３メッセージ（ページング、システムインフォメーションなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。Ｄ２Ｄをサポートする場合、物理下りリンク制御チャネルはＤ２Ｄグラントを通知することができる。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００３７】
物理上りリンク制御チャネル（PUCCH; Physical Uplink Control Channel）は、物理下りリンク共用チャネルで送信された下りリンクデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００３８】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記されてもよい。
【００３９】
物理下りリンク共用チャネル（PDSCH; Physical Downlink Shared Channel）は、下りリンクデータの他、ページングやシステムインフォメーションなどのレイヤ３メッセージを端末装置に通知するためにも使用される。物理下りリンク共用チャネルの無線リソース割り当て情報は、物理下りリンク制御チャネルで示される（通知される）。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重される。
【００４０】
物理上りリンク共用チャネル（PUSCH; Physical Uplink Shared Channel）は、主に上りリンクデータと上りリンク制御データを送信し、ＣＳＩやＡＣＫ／ＮＡＣＫなどの制御データを含めることも可能である。また、上りリンクデータの他、上りリンク制御情報をレイヤ２メッセージおよびレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００４１】
上りリンクリファレンスシグナル（上りリンク参照信号；Uplink Reference Signal（上りリンクパイロット信号、上りリンクパイロットチャネルとも呼称する））は、基地局装置が、物理上りリンク制御チャネルＰＵＣＣＨおよび／または物理上りリンク共用チャネルＰＵＳＣＨを復調するために使用する復調参照信号（DMRS; Demodulation Reference Signal）と、基地局装置が、主に、上りリンクのチャネル状態を推定するために使用するサウンディング参照信号（SRS; Sounding Reference Signal）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４２】
物理ランダムアクセスチャネル（PRACH; Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４３】
端末装置は、物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００４４】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータを取り扱うプロトコルのことをユーザ平面（ＵＰ（Ｕｓｅｒ−ｐｌａｎｅ、Ｕ−Ｐｌａｎｅ））と称する。
【００４５】
Ｄ２Ｄに関する物理チャネルとして、Ｄ２Ｄ同期シグナル（Ｄ２ＤＳＳ；Ｄ２Ｄ  Ｓｙｎｃｈｏｎｉｚａｔｉｏｎ  Ｓｉｇｎａｌ）と、物理Ｄ２Ｄ同期チャネル（ＰＤ２ＤＳＣＨ；Ｐｈｙｓｉｃａｌ  Ｄ２Ｄ  Ｓｙｎｃｈｏｎｉｚａｔｉｏｎ  Ｃｈａｎｎｅｌ）とが用意される。Ｄ２Ｄ同期シグナルは、ＰＤ２ＤＳＳ（Ｐｒｉｍａｒｙ  Ｄ２ＤＳＳ）と、ＳＤ２ＤＳＳ（Ｓｅｃｏｎｄａｒｙ  Ｄ２ＤＳＳ）の２つの同期シグナルとで構成される。
【００４６】
また、物理Ｄ２Ｄ同期チャネルは、Ｄ２Ｄを送信する端末装置から送信され、Ｄ２Ｄに関する制御情報（たとえば、送信する端末装置に関する同期ＩＤ、リソースプール、システム帯域幅、ＴＤＤサブフレーム設定など）や、Ｄ２Ｄフレーム番号などを通知する目的で送信されることが検討されている。
【００４７】
また、Ｄ２Ｄを送信する端末装置が、Ｄ２Ｄを受信する端末装置に対してスケジューリング割り当て（Ｓｃｈｅｄｕｌｉｎｇ  ａｓｓｉｇｎｍｅｎｔｓ：ＳＡ）を送信することが検討されている。ＳＡは、少なくともＤ２Ｄの内容（種別）を識別するＩＤ情報を含み、かかるＩＤ情報に対応する送信データの無線リソースのパターン（ＲＰＴ；Ｒｅｓｏｕｒｃｅ  Ｐａｔｔｅｒｎｓ  ｆｏｒ  Ｔｒａｎｓｍｉｓｓｉｏｎ）を明示的、または暗黙的に通知する。ＳＡ、および、Ｄ２Ｄに関する送信データは、ＰＵＳＣＨを用いることが検討されている。すなわち、Ｄ２Ｄを受信する端末装置は、ＰＵＳＣＨを受信し、デコードを行う必要がある。
【００４８】
なお、それ以外の物理チャネルまたは物理シグナルは、本発明の各実施形態と強く関わらないため詳細な説明は省略する。説明を省略した物理チャネルまたは物理シグナルとして、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、物理ＨＡＲＱ指示チャネル（ＰＨＩＣＨ：Ｐｈｙｓｉｃａｌ  Ｈｙｂｒｉｄ  ＡＲＱ  Ｉｎｄｉｃａｔｏｒ  ＣＨａｎｎｅｌ）、物理マルチキャストチャネル（ＰＭＣＨ：Ｐｈｙｓｉｃａｌ  Ｍｕｌｔｉｃａｓｔ  ＣＨａｎｎｅｌ）などがある。
【００４９】
[無線ネットワーク、セル種別]
基地局装置によって制御される各周波数の通信可能範囲（通信エリア）はセルとしてみなされる。このとき、基地局装置がカバーする通信エリアは周波数毎にそれぞれ異なる広さ、異なる形状であってもよい。また、カバーするエリアが周波数毎に異なっていてもよい。基地局装置の種別やセル半径の大きさが異なるセルが、同一の周波数または異なる周波数のエリアに混在して一つの通信システムを形成している無線ネットワークのことを、ヘテロジニアスネットワークと称する。
【００５０】
端末装置は、端末装置のアクセスが基地局装置から通知される報知情報に基づいて禁止されていないと判断したセルであって、かつ、下りリンクの受信品質が所定の条件を満足し、その結果、かかるセルにキャンプすることによって、通常のサービスが許可されるセルを適切なセル（Suitable cell）とみなしてよい。端末装置が、キャンプしているセルから他のセルへ移動するときは、非無線リソース制御接続状態（アイドル状態（Idle mode）、非通信中）はセル再選択手順、無線リソース制御接続時（コネクティッド状態（Connected mode）、通信中）はハンドオーバ手順によって移動が行われる。
【００５１】
端末装置は、セル選択（セル再選択）手順によって適切なセルと判断されなかったセルを、一部のサービスのみが許可されているセル（制限セル）とみなしてよい。なお、端末装置は制限セルであってもキャンプすることができる。一部のサービスとは、たとえば緊急呼通信（Emergency call）である。端末装置は、セルにキャンプしている状態（アイドル状態）、または、あるセルにおいてコネクティッド状態にあるとき、基地局装置と通信可能なエリアに位置している、すなわち、かかるセルのサービス区域内（カバレッジ内（in-coverage））である、と判断してよい。
【００５２】
基地局装置は、周波数毎に１つ以上のセルを管理している。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。スモールセルは、一般的に半径数メートルから数十メートルまでをカバーするセルである。また、スモールセルは、そのエリアの大きさに応じて、フェムトセル、ピコセル、ナノセルなどに分類されることもある。
【００５３】
端末装置がある基地局装置と通信可能であるとき、その基地局装置のセルのうち、端末装置との通信に使用されるように設定されているセルは在圏セル（Serving cell）であり、その他の通信に使用されないセルは周辺セル（Neighboring cell）と称される。
【００５４】
[Ｄ２Ｄ]
Ｄ２Ｄの基本的な技術について簡単に説明する。
【００５５】
Ｄ２Ｄは、近接している端末装置を発見するための技術（Ｄｉｓｃｏｖｅｒｙ）と、端末装置が一つまたは複数の端末装置と直接通信を行うための技術（Ｄｉｒｅｃｔ  ｃｏｍｍｕｎｉｃａｔｉｏｎ（Ｃｏｍｍｕｎｉｃａｔｉｏｎとも称する））とに少なくとも分けられる。
【００５６】
Ｄ２Ｄにおいて、端末装置が使用するＤ２Ｄに関するリソース（無線リソース）や設定（コンフィグレーション）は、基地局装置によって設定（制御）されてもよい。すなわち、端末装置が非無線リソース制御接続状態（アイドル状態）にある場合は、報知情報によってＤ２Ｄに関する無線リソースや設定がセル毎に通知されてもよく、端末装置が無線リソース制御接続状態（コネクティッド状態）にある場合は、ＲＲＣメッセージによってＤ２Ｄに関する無線リソースや設定が通知されてもよい。すなわち、Ｄ２Ｄは、端末装置同士の直接通信が可能な（Ｄ２Ｄ  ｃａｐａｂｌｅ、Ｄ２Ｄ  ｓｕｐｐｏｒｔｅｄ）端末装置と、かかる端末装置同士の直接通信のためのリソースの制御可能な基地局装置によって実現される。
【００５７】
また、Ｄｉｒｅｃｔ  Ｃｏｍｍｕｎｉｃａｔｉｏｎにおいて、スケジューリング割り当て（Ｓｃｈｅｄｕｌｉｎｇ  ａｓｓｉｇｎｍｅｎｔｓ：ＳＡ）を送信するための無線リソースは、ＳＡ用にプールされたリソースプール（ＳＡリソースプール）の中から端末装置に提供される。Ｄ２Ｄを送信する端末装置は、リソースプールに含まれる無線リソース（時間、および周波数）でＳＡを送信する。Ｄ２Ｄを受信する端末装置は、リソースプールに含まれる無線リソース（時間、および周波数）でＳＡを受信する。
【００５８】
また、Ｄｉｒｅｃｔ  Ｃｏｍｍｕｎｉｃａｔｉｏｎにおいて、Ｄ２Ｄに関する送信データを送信するための無線リソースは、Ｄ２Ｄに関する送信データ用にプールされたリソースプール（Ｄ２Ｄデータリソースプール）の中から端末装置に提供される。Ｄ２Ｄを送信する端末装置はリソースプールから指定される無線リソース（時間、および周波数）を用いてＤ２Ｄに関する送信データを送信する。また、Ｄ２Ｄを受信する端末装置はリソースプールから指定される無線リソース（時間、および周波数）を用いてＤ２Ｄに関する送信データを受信する。リソースプールは、周波数情報、割り当てられるリソースブロックの範囲を示す情報や、リソースプールが開始されるフレーム番号またはサブフレーム番号とオフセット値の情報などによって示されてもよい。
【００５９】
ここで、ＳＡに用いられる無線リソースがプールされたリソースプール（第１のリソースプール）と、Ｄ２Ｄに関する送信データに用いられる無線リソースがプールされたリソースプール（第２のリソースプール）は、報知情報によって予め設定（予約）されていてもよいし、基地局装置から端末装置ごとに個別に通知（あるいは報知）されてもよいし、他の端末装置から通知（あるいは報知）されてもよいし、事前設定（ｐｒｅ−ｃｏｎｆｉｇｕｒｅｄ）されていてもよいし、準静的（ｓｅｍｉ−ｓｔａｔｉｃ）に割り当てられていてもよい。
【００６０】
事前設定によって割り当てられる場合、この設定は、典型的にはＳＩＭ（Ｓｕｂｓｃｒｉｂｅｒ  Ｉｄｅｎｔｉｔｙ  Ｍｏｄｕｌｅ）に記録されてもよい。ＳＩＭはハードウェアによって提供されるＩＣカードでも良いし、ソフトウェアによって提供されてもよい。
【００６１】
ここで、端末装置に対してリソースプールからＤ２Ｄに関する無線リソース（ＳＡ、Ｄ２Ｄに関する送信データ）を割り当てる方法として、端末装置が基地局装置へＤ２Ｄに関する送信データがあることを通知することによって、基地局装置から端末装置に対して個別に送信リソースを割り当てる方法（Ｍｏｄｅ１あるいはスケジュール型（Ｓｃｈｅｄｕｌｅｄ）とも称する）を用いてもよいし、また、端末装置が報知情報や予め設定（予約）されたリソースプールから送信リソースを選択して用いる方法（Ｍｏｄｅ２あるいは自律型（Ａｕｔｏｎｏｍｏｕｓ）とも称する）を用いてもよい。
【００６２】
Ｍｏｄｅ１は、端末装置がカバレッジ内とみなされる範囲に位置しているときに使用され、Ｍｏｄｅ２は端末装置がカバレッジ内とみなされる範囲に位置していない（カバレッジ外（out-of-coverage））ときに使用されるＤｉｒｅｃｔ  Ｃｏｍｍｕｎｉｃａｔｉｏｎのモードである。なお、端末装置は、基地局装置から割り当てられた無線リソースを用いている場合（すなわちＭｏｄｅ１）であっても、ＲＲＣ無線リソース再接続手順中において、端末装置が選択した無線リソースを一時的に用いる場合（すなわちＭｏｄｅ２）がある。
【００６３】
図９は、Ｄ２Ｄを送信する端末装置１−１（Ｄ２Ｄ  ｔｒａｎｓｍｉｓｓｉｏｎ  ＵＥ）と、Ｄ２Ｄを受信する端末装置１−２（Ｄ２Ｄ  ｒｅｃｅｐｔｉｏｎ  ＵＥ）とがＤ２Ｄの通信を行う場合の一例を示したフローチャート図である。
【００６４】
図９において、まず、端末装置１−１は、基地局装置２のセルにキャンプしたときに、ＲＲＣメッセージであるシステムインフォメーションメッセージを受信する（ステップＳ１００）。システムインフォメーションメッセージは、Ｄ２Ｄに関する設定情報（例えば、ＰＤ２ＤＳＳ設定情報、ＰＤ２ＤＳＣＨ設定情報、周辺セルのＤ２Ｄ情報、ＳＡ用のリソースプール情報、Ｄ２Ｄに関する送信データ用のリソースプール情報、Ｍｏｄｅ１／Ｍｏｄｅ２の許可情報、など）を端末装置１に通知する目的で用いられる。これらの情報は、基地局装置２から、ある独立したシステムインフォメーションブロック（例えばＳＩＢ１８）で送信されてもよいし、端末装置１−１（端末装置１−２）が通信中であれば、個別のＲＲＣメッセージで送信されてもよい。
【００６５】
次に、端末装置１−１は、Ｄ２Ｄに興味のある場合、受信したシステムインフォメーションメッセージの情報に基づき、セル選択処理を行う（ステップＳ１０１）。このセル選択処理において、端末装置１−１のＲＦ（Ｒａｄｉｏ  Ｆｒｅｑｕｅｎｃｙ）回路が対応する上りリンクバンドでＤ２Ｄをサポートしているかを示す報知情報に従って、必要であれば端末装置１−１がキャンプセルを変更する。
【００６６】
ステップＳ１０１は端末装置１−２でも同様に実行される。すなわち、端末装置１−２は、Ｄ２Ｄに興味のある場合、受信したシステムインフォメーションメッセージの情報に基づき、端末装置１−２のＲＦ（Ｒａｄｉｏ  Ｆｒｅｑｕｅｎｃｙ）回路が対応する上りリンクバンドでＤ２Ｄをサポートしているかを示す報知情報に従って、必要であればセル選択処理を行う。
【００６７】
続いて、端末装置１−１はＤ２Ｄの通信処理を開始する（ステップＳ１０２）。より具体的には、端末装置１−１は、ＰＤ２ＤＳＳとＰＤ２ＤＳＣＨの送信符号やデータを決定し、アイドル状態の端末装置１−１に対して利用可能なリソースプールから無線リソースを選択する。
【００６８】
なお、端末装置１−１は、基地局装置２においてＭｏｄｅ２でのＤ２Ｄが許可されていない場合、Ｍｏｄｅ１のＤ２Ｄを行うために、基地局装置２に対し無線リソース制御接続確立（ＲＲＣ接続確立、ＲＲＣ  Ｃｏｎｎｅｃｔｉｏｎ  Ｅｓｔａｂｌｉｓｈｍｅｎｔ）手順を開始し、コネクティッド状態においてＤ２Ｄを開始するが、図では省略する。
【００６９】
端末装置１−１は、Ｄ２Ｄを送信可能な上りリンクバンド（上りリンク周波数）でＰＤ２ＤＳＳの送信（ステップＳ１０３）と、ＰＤ２ＤＳＣＨの送信（ステップＳ１０４）を行う。なお、ＰＤ２ＤＳＣＨは送信されない場合もある。端末装置１−２は、ステップＳ１０５のＤ２Ｄ同期信号処理によって端末装置１−１が送信したＰＤ２ＤＳＳ（ＰＤ２ＤＳＣＨ）を受信し、端末装置１−１との無線同期を確立する。
【００７０】
また、端末装置１−１は、ＳＡ用のリソースプール情報で示されるリソースから、ＳＡ用のリソースを選択し、端末装置１−２に対して選択したリソースを用いてＳＡを送信（ステップＳ１０６）する。また、端末装置１−１は、送信データ用のリソースプール情報から、選択したＳＡに基づいて送信データ用のリソースを選択し、端末装置１−２に対して選択したリソースを用いてＤ２Ｄに関するデータを送信（ステップＳ１０７）する。
【００７１】
また、端末装置１−２は、ＳＡ用のリソースプール情報で示されるリソースにおいて、端末装置１−１が送信するＳＡを受信（モニタ）する。また、端末装置１−２は、送信データ用のリソースプール情報における、ＳＡで示されるリソースにおいて、端末装置１−１が送信するＤ２Ｄに関するデータを受信（モニタ）する。
【００７２】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００７３】
＜第１の実施形態＞
本発明の第１の実施形態について以下に説明する。
【００７４】
図１は、本発明の第１の実施形態における端末装置１の一例を示すブロック図である。本端末装置１は、受信部１０１、復調部１０２、復号部１０３、受信データ制御部１０４、物理レイヤ制御部１０５、送信データ制御部１０６、符号部１０７、変調部１０８、送信部１０９、無線リソース制御部１１０、セル選択部１１１から少なくとも構成される。図中の「〜部」とは、セクション、回路、構成装置、デバイス、ユニットなど用語によっても表現される、端末装置１の機能および各手順を実現する要素である。
【００７５】
なお、Ｄ２Ｄが可能な（または、Ｄ２Ｄに興味のある、Ｄ２Ｄをサポートする）端末装置１のことを、単に端末装置１と略して説明する場合がある。なお、端末装置１は、Ｄ２Ｄに関する通信において、Ｄ２Ｄを送信する端末装置１（Ｄ２Ｄ  ｔｒａｎｓｍｉｓｓｉｏｎ（図９の端末装置１−１））と、Ｄ２Ｄを受信する端末装置１（Ｄ２Ｄ  ｒｅｃｅｐｔｉｏｎ（図９の端末装置１−２））のいずれにもなりえる。
【００７６】
無線リソース制御部１１０は、端末装置１の無線リソース制御を執り行うＲＲＣ（Ｒａｄｉｏ  Ｒｅｓｏｕｒｃｅ  Ｃｏｎｔｒｏｌ）層の各機能を実行する。また、受信データ制御部１０４と送信データ制御部１０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行する。
【００７７】
なお、端末装置１は、複数の周波数（周波数帯、周波数帯域幅）または、ある一つのセルの同一サブフレーム内での受信処理と送信処理を並行して（同時に：simultaneously）サポートするために受信系のブロック（受信部１０１、復調部１０２、復号部１０３）、および複数の周波数（周波数帯、周波数帯域幅）、および送信系のブロック（符号部１０７、変調部１０８、送信部１０９）の一部あるいはすべてを複数備える構成であってもよい。
【００７８】
端末装置１の受信処理に関し、無線リソース制御部１１０より受信データ制御部１０４へ受信データ制御情報が入力され、物理レイヤ制御部１０５には各ブロックを制御するための制御パラメータである物理レイヤ制御情報が入力される。物理レイヤ制御情報は、受信制御情報と送信制御情報によって構成される端末装置１の無線通信制御に必要なパラメータ設定を含む情報である。
【００７９】
物理レイヤ制御情報は、基地局装置２から端末装置１に対して個別（ｄｅｄｉｃａｔｅｄ）に送信される無線接続リソース設定、セル固有の報知情報、またはシステムパラメータなどによって設定され、無線リソース制御部１１０が必要に応じて物理レイヤ制御部１０５へ入力する。物理レイヤ制御部１０５は、受信に関する制御情報である受信制御情報を、受信部１０１、復調部１０２、復号部１０３へ適切に入力する。
【００８０】
受信制御情報は、下りリンクスケジューリング情報として、受信周波数帯域の情報、物理チャネルと物理シグナルに関する受信タイミング、多重方法、無線リソース制御情報、ＳＡリソースプール情報、Ｄ２Ｄリソースプール情報などの情報が含まれている。また、受信データ制御情報は、セカンダリセル不活性化タイマー情報、ＤＲＸ制御情報、マルチキャストデータ受信情報、下りリンク再送制御情報、ＳＡ受信制御情報、Ｄ２Ｄ受信制御情報などを含む下りリンクの制御情報であり、ＭＡＣ層、ＲＬＣ層、ＰＤＣＰ層におけるそれぞれの下りリンクに関する制御情報が含まれている。
【００８１】
受信信号は、受信部１０１において受信される。Ｄ２Ｄの場合、受信信号は、端末装置１が送信した送信信号である場合がある。受信部１０１は、受信制御情報で通知された周波数と周波数帯域に従って基地局装置２からの信号を受信する。受信された信号は復調部１０２へと入力される。復調部１０２は信号の復調を行う。復調部１０２は、復号部１０３へと復調後の信号を入力する。復号部１０３は、入力された信号を復号し、復号された各データ（下りリンクデータと下りリンク制御データ、下りリンクトランスポートブロックとも称す）を受信データ制御部１０４へと入力する。また、各データと共に基地局装置２から送信されたＭＡＣ制御要素も復号部１０３で復号され、関係するデータは受信データ制御部１０４へと入力される。
【００８２】
受信データ制御部１０４は、受信したＭＡＣ制御要素に基づく物理レイヤ制御部１０５の制御（例えば、セルの活性化／不活性化、ＤＲＸ制御、送信タイミング調整など）や、復号された各データをバッファリングし、再送されたデータの誤り訂正制御（ＨＡＲＱ）を行う。受信データ制御部１０４へ入力された各データは、関係するデータは無線リソース制御部１１０へと入力（転送）される。
【００８３】
セル選択部１１１は、復調部１０２や復号部１０３などの出力から、受信した信号および／またはチャネルの測定結果（ＲＳＲＰ、ＲＳＲＱなど）を取得し、さらに、報知情報などから受信したアクセス制限情報やオフセット値などのセル選択パラメータに基づいてセル選択手順を行う機能を有する。また、セル選択部１１１は、セル再選択条件と関連するセル再選択パラメータに基づいて、同周波数（Ｉｎｔｒａ−ｆｒｅｑｕｅｎｃｙ）、異周波数（Ｉｎｔｅｒ−ｆｒｅｑｕｅｎｃｙ）、異なるＲＡＴの周波数（Ｉｎｔｅｒ−ＲＡＴ）のそれぞれの周辺セルに対してセル再選択手順を行う機能を有する。
【００８４】
セル選択部１１１は、セル再選択手順において、少なくとも、現在キャンプしている在圏セルの測定結果と、周辺セルの測定結果とを用いて周辺セルの評価（査定、ランキング）を行い、現在の在圏セルよりも更に適切な別のセルを検出した場合、キャンプするセルを変更する。セル再選択において、測定される異周波数（ＲＡＴ）のセルは、周波数（ＲＡＴ）ごとに指定される周波数優先度（プライオリティ）に基づいて決まる。
【００８５】
具体的には、キャンプしている周波数（在圏周波数）の周波数優先度よりも優先度の高い異周波数（ＲＡＴ）は、在圏セルの測定結果（受信品質）に関係なく常に測定しなければならないが、キャンプしている周波数の周波数優先度と同じか低い優先度の異周波数（ＲＡＴ）のセルは、在圏セルの測定結果がそれぞれある閾値以下の場合のみ測定してもよい。在圏セルの測定結果は、例えばＲＳＲＰやＲＳＲＱを用いて示される。
【００８６】
なお、セル選択部１１１は、報知情報で周辺セルの情報（周辺セルリスト）が通知されていた場合、この周辺セルの情報を使用してセル再選択を行うことも可能である。セル選択部１１１が使用する、セル選択手順、および、セル再選択手順に関する複数のパラメータは、無線リソース制御部１１０から設定される。
【００８７】
また、端末装置１の送信処理に関し、無線リソース制御部１１０より送信データ制御部１０６へ送信データ制御情報が入力され、物理レイヤ制御部１０５には各ブロックを制御するための制御パラメータである物理レイヤ制御情報が入力される。物理レイヤ制御部１０５は、送信に関する制御情報である送信制御情報を、符号部１０７、変調部１０８、送信部１０９へ適切に入力する。送信制御情報は、上りリンクスケジューリング情報として、符号化情報、変調情報、送信周波数帯域の情報、物理チャネルと物理シグナルに関する送信タイミング、多重方法、無線リソース配置情報、ＳＡリソースプール情報、Ｄ２Ｄリソースプール情報などの情報が含まれている。
【００８８】
また、送信データ制御情報は、ＤＴＸ制御情報、ランダムアクセス設定情報、上りリンク共用チャネル情報、論理チャネルプライオリティ情報、リソース要求設定情報、セルグループ情報、上りリンク再送制御情報、バッファステータスレポート、Ｄ２Ｄ送信制御情報などを含む上りリンクの制御情報である。無線リソース制御部１１０は、複数のセルにそれぞれ対応した複数のランダムアクセス設定情報を送信データ制御部１０６に設定してもよい。
【００８９】
また、無線リソース制御部１１０は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信データ制御情報に含まれる。
【００９０】
なお、複数の上りリンク送信タイミングの状態を管理する必要がある場合、送信データ制御部１０６は、複数のそれぞれのセル（またはセルグループ、ＴＡグループ）の上りリンク送信タイミングに対応する送信タイミング調整情報を管理する。リソース要求設定情報には、少なくとも最大送信カウンタ設定情報と無線リソース要求禁止タイマー情報とが含まれている。無線リソース制御部１１０は、複数のセルにそれぞれ対応した複数のリソース要求設定情報を送信データ制御部１０６に設定してもよい。
【００９１】
端末装置１で生起した送信データ（上りリンクデータと上りリンク制御データ、上りリンクトランスポートブロックとも称す）は、無線リソース制御部１１０（または、非アクセス層レイヤ部（図示せず）などの上位レイヤ部）より任意のタイミングで送信データ制御部１０６に入力される。このとき、送信データ制御部１０６は、入力された送信データの量（上りリンクバッファ量）を計算する。また、送信データ制御部１０６は、入力された送信データが制御平面に属するデータなのか、ユーザ平面に属するデータなのかを判別する機能を有する。
【００９２】
また、送信データ制御部１０６は、送信データが入力されたときに、送信データ制御部１０６内の上りリンクバッファ（図示せず）に送信データを格納する。また、送信データ制御部１０６は、上りリンクバッファに格納された送信データの優先度などに基づき、多重化およびアセンブルを行ないＭＡＣ  ＰＤＵを生成する。そして、送信データ制御部１０６は、入力された送信データの送信に必要な無線リソースが端末装置１に対して割り当てられているかを判断する。送信データ制御部１０６は、無線リソース割り当てに基づいて、物理上りリンク共用チャネルＰＵＳＣＨ、物理上りリンク制御チャネル（ＳＲ−ＰＵＣＣＨ）を用いた無線リソース要求、または物理ランダムアクセスチャネルを用いた無線リソース要求のいずれか一つを選択し、選択したチャネルを送信するための制御処理を物理レイヤ制御部１０５に対して要求する。
【００９３】
ここで、送信データ制御部１０６は、入力された送信データが基地局装置２に対する通常の送信データであるか、または、別の端末装置１に対するＤ２Ｄの送信データであるかに基づいて、それぞれ異なるバッファステータスレポートを生成する。換言すれば、送信データ制御部１０６は、通常の送信データのバッファ量に基づくバッファステータスレポート（通常のバッファステータスレポート（Ｎｏｒｍａｌ  ＢＳＲ）、第１のバッファステータスレポート）と、Ｄ２Ｄの送信データのバッファ量に基づくバッファステータスレポート（Ｄ２Ｄ用のバッファステータスレポート（ＰｒｏＳｅ  ＢＳＲ）、第２のバッファステータスレポート）を生成する。また、符号部１０７は、送信制御情報に従って各データを適切に符号化し、変調部１０８へと入力する。
【００９４】
変調部１０８は、符号化された各データを送信するチャネル構造に基づいて適切な変調処理を行う。送信部１０９は、変調処理された各データを周波数領域にマッピングすると共に、周波数領域の信号を時間領域の信号へ変換し、既定の周波数の搬送波にのせて電力増幅を行う。送信部１０９は、また、無線リソース制御部１１０より入力されたセル毎（またセルグループ毎、ＴＡグループ毎）の送信タイミング調整情報に従って上りリンク送信タイミングを調整する。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【００９５】
図１において、その他の端末装置１の構成要素や、構成要素間のデータ（制御情報）の伝送経路については省略してあるが、端末装置１として動作するために必要なその他の機能を有する複数のブロックを構成要素として持つことは明らかである。例えば、無線リソース制御部１１０の上位層には、コアネットワークとの制御を執り行う非アクセス層（Ｎｏｎ  Ａｃｃｅｓｓ  Ｓｔｒａｔｕｍ）レイヤ部や、アプリケーションレイヤ部が存在している。
【００９６】
図２は、本発明の第１の実施形態による基地局装置２の一例を示すブロック図である。本基地局装置は、受信部２０１、復調部２０２、復号部２０３、受信データ制御部２０４、物理レイヤ制御部２０５、送信データ制御部２０６、符号部２０７、変調部２０８、送信部２０９、無線リソース制御部２１０、ネットワーク信号送受信部２１１から少なくとも構成される。図中の「〜部」とは、セクション、回路、構成装置、デバイス、ユニットなど用語によっても表現される、基地局装置２の機能および各手順を実現する要素である。
【００９７】
無線リソース制御部２１０は、基地局装置２の無線リソース制御を執り行うＲＲＣ（Ｒａｄｉｏ  Ｒｅｓｏｕｒｃｅ  Ｃｏｎｔｒｏｌ）層の各機能を実行する。また、受信データ制御部２０４と送信データ制御部２０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行する。
【００９８】
なお、基地局装置２は、キャリア・アグリゲーションなどによる複数の周波数（周波数帯、周波数帯域幅）またはセルの同一サブフレーム内での送受信処理をサポートするために受信系のブロック（受信部２０１、復調部２０２、復号部２０３）、および複数の周波数（周波数帯、周波数帯域幅）、および送信系のブロック（符号部２０７、変調部２０８、送信部２０９）の一部あるいはすべてを複数備える構成であってもよい。
【００９９】
無線リソース制御部２１０は、下りリンクデータと下りリンク制御データを送信データ制御部２０６へと入力する。送信データ制御部２０６は、端末装置１へ送信するＭＡＣ制御要素が存在する場合、ＭＡＣ制御要素と各データ（下りリンクデータまたは下りリンク制御データ）を符号部２０７へと入力する。符号部２０７は、入力されたＭＡＣ制御要素と各データを符号化し、変調部２０８へと入力する。変調部２０８は、符号化された信号の変調を行なう。
【０１００】
また、変調部２０８で変調された信号は送信部２０９に入力される。送信部２０９は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【０１０１】
また、受信部２０１は、端末装置１から受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へと入力される。復号部２０３は、入力された信号を復号し、復号された各データ（上りリンクデータと上りリンク制御データ）を受信データ制御部２０４へと入力する。また、各データと共に端末装置１から送信されたＭＡＣ制御要素も復号部２０３で復号され、関係するデータは受信データ制御部２０４へと入力される。
【０１０２】
受信データ制御部２０４は、受信したＭＡＣ制御要素に基づく物理レイヤ制御部２０５の制御（例えば、パワーヘッドルームレポートに関する制御や、バッファステータスレポートに関する制御など）や、復号された各データをバッファリングし、再送されたデータの誤り訂正制御（ＨＡＲＱ）を行う。受信データ制御部２０４へ入力された各データは、必要に応じて無線リソース制御部２１０へと入力（転送）される。
【０１０３】
また、受信データ制御部２０４は、端末装置１からバッファステータスレポートが復号部２０３から入力された場合、自基地局装置との通信のための送信リソース要求かデバイス間データ通信のための送信リソース要求かを判別し、該端末装置１に割り当てる送信リソースを設定する。
【０１０４】
これら各ブロックの制御に必要な物理レイヤ制御情報は、受信制御情報と送信制御情報によって構成される基地局装置２の無線通信制御に必要なパラメータ設定を含む情報である。物理レイヤ制御情報は、上位のネットワーク装置（ＭＭＥやゲートウェイ装置（ＳＧＷ）、ＯＡＭなど）やシステムパラメータにより設定され、無線リソース制御部２１０が必要に応じて制御部２０４へ入力する。
【０１０５】
物理レイヤ制御部２０５は、送信に関連する物理レイヤ制御情報を送信制御情報として符号部２０７、変調部２０８、送信部２０９の各ブロックに入力し、受信に関連する物理レイヤ制御情報を受信制御情報として受信部２０１、復調部２０２、復号部２０３の各ブロックに適切に入力する。
【０１０６】
受信データ制御情報は、基地局装置２のＭＡＣ層、ＲＬＣ層、ＰＤＣＰ層のそれぞれに対する端末装置１の上りリンクに関する制御情報が含まれている。また、送信データ制御情報は、基地局装置２のＭＡＣ層、ＲＬＣ層、ＰＤＣＰ層のそれぞれに対する端末装置１の下りリンクに関する制御情報が含まれている。すなわち、受信データ制御情報と送信データ制御情報は、端末装置１毎に設定されている。
【０１０７】
ネットワーク信号送受信部２１１は、基地局装置２間あるいは上位のネットワーク装置（ＭＭＥ、ＳＧＷ）と基地局装置２との間の制御メッセージ、またはユーザデータの送信（転送）または受信を行なう。図２において、その他の基地局装置２の構成要素や、構成要素間のデータ（制御情報）の伝送経路については省略してあるが、基地局装置２として動作するために必要なその他の機能を有する複数のブロックを構成要素として持つことは明らかである。例えば、無線リソース制御部２１０の上位には、無線リソース管理（Ｒａｄｉｏ  Ｒｅｓｏｕｒｃｅ  Ｍａｎａｇｅｍｅｎｔ）部や、アプリケーションレイヤ部が存在している。
【０１０８】
図３は、本発明の第１の実施形態におけるセルの選択（セルの再選択を含む）に関するフローチャート図の一例を示したものである。
【０１０９】
図３のフローチャートは、端末装置１がＤ２Ｄに興味がある場合に開始される。Ｄ２Ｄに興味がある場合とは、例えば、端末装置１がＤ２Ｄに関する一連の制御に対応可能な端末装置であって、かつ、Ｄ２Ｄに関するサービスの送信または受信、またはその両方がＮＡＳレイヤ部やアプリケーションレイヤ部などの上位レイヤから指示された場合を示す。このとき、ステップＳ２０１において、端末装置１は、通常キャンプしているセルでＤ２Ｄの送受信が可能であるかについて判断する。
【０１１０】
また、端末装置１は、初期セル選択、またはセル再選択を行い、ある任意のセルに通常キャンプ（Ｃａｍｐｅｄ  Ｎｏｒｍａｌｌｙ）している。通常キャンプとは、セルの測定結果がセル選択基準を満たし（すなわち、セルの測定結果がある値以上）、かつ、報知情報で示されるアクセス制限情報によってキャンプ、および／または通常サービスが制限されていないセルのエリア内（カバレッジ内）に端末装置１が位置している状態を示す。
【０１１１】
ステップＳ２０１において、端末装置１は、キャンプしているセルの周波数（周波数バンド）と、自端末装置が送受信できる周波数とに基づいて、Ｄ２Ｄの送受信が可能であるか否かを判断する。
【０１１２】
キャンプしているセルの周波数と、端末装置１が送受信できる周波数との関係について図４を用いて説明する。
【０１１３】
図４は、Ｄ２Ｄが可能な端末装置１において送受信が可能な周波数バンドの組み合わせ（Ｂａｎｄ  Ｃｏｍｂｉｎａｔｉｏｎ）の一例を示した図である。周波数バンドの組み合わせは、ＲＦ能力（ＲＦ  Ｃａｐａｂｉｌｉｔｙ）として端末装置１毎に設定される。
【０１１４】
図中のＤＬ＃０とＤＬ＃１は、それぞれ下りリンクの周波数を示し、また、ＵＬ＃０とＵＬ＃１は、それぞれ上りリンクの周波数を示す。また、ＤＬ＃０とＵＬ＃０はある周波数バンドであるＢａｎｄ＃０の一部の周波数であり、ＤＬ＃１とＵＬ＃１は別のある周波数バンドであるＢａｎｄ＃１の一部の周波数である。
【０１１５】
端末装置１において取りうるＲＦの組み合わせとして、図４では、３通りの組み合わせを示している。
【０１１６】
第１の組み合わせ（ＵＥ  ＲＦ  Ｃｏｍｂｉｎａｔｉｏｎ＃ａ）は、端末装置１のＲＦは、ＤＬ＃０とＵＬ＃０の周波数にチューニングされており、ＤＬ＃０の周波数において受信が可能であり、同様に、ＵＬ＃０の周波数において送信が可能であることを示す。また、Ｄ２Ｄに対応している場合、ＵＬ＃０の周波数においてＤ２Ｄの受信（すなわち、ＰＤ２ＤＳＳ、ＰＤ２ＤＳＣＨ、ＰＵＳＣＨの受信）が可能であることを示す。
【０１１７】
第２の組み合わせ（ＵＥ  ＲＦ  Ｃｏｍｂｉｎａｔｉｏｎ＃ｂ）は、端末装置１のＲＦは、ＤＬ＃０とＵＬ＃１の周波数にチューニングされており、ＤＬ＃０の周波数において受信が可能であり、同様に、ＵＬ＃１の周波数において送信が可能であることを示す。また、Ｄ２Ｄに対応している場合、ＵＬ＃１の周波数においてＤ２Ｄの受信（すなわち、ＰＤ２ＤＳＳ、ＰＤ２ＤＳＣＨ、ＰＵＳＣＨの受信）が可能であることを示す。
【０１１８】
第３の組み合わせ（ＵＥ  ＲＦ  Ｃｏｍｂｉｎａｔｉｏｎ＃ｃ）は、端末装置１のＲＦは、ＤＬ＃１とＵＬ＃１の周波数にチューニングされており、ＤＬ＃１の周波数において受信が可能であり、同様に、ＵＬ＃１の周波数において送信が可能であることを示す。また、Ｄ２Ｄに対応している場合、ＵＬ＃１の周波数においてＤ２Ｄの受信（すなわち、ＰＤ２ＤＳＳ、ＰＤ２ＤＳＣＨ、ＰＵＳＣＨの受信）が可能であることを示す。
【０１１９】
ここで、第１の組み合わせが可能な端末装置１が通常キャンプしている周波数がＤＬ＃０であり、かつ、Ｄ２Ｄの送受信をサポート（許可）している周波数（Ｄ２Ｄ  ｓｕｐｐｏｒｔｅｄ  ｆｒｅｑｕｅｎｃｙ）がＵＬ＃１であるとする。このとき、端末装置１のＲＦが、さらに、第２の組み合わせが可能である場合、端末装置１は、ＤＬ＃０のセルに通常キャンプした状態でＤ２Ｄが送受信可能であると判断する。一方、端末装置１のＲＦが、第１の組み合わせと第３の組み合わせのみが可能である場合、端末装置１は、ＤＬ＃０のセルに通常キャンプした状態ではＤ２Ｄが送受信できないと判断する。
【０１２０】
このように、端末装置１は、端末装置１が現在キャンプしているセルの下りリンク周波数と、Ｄ２Ｄの送受信をサポートしている上りリンク周波数との組み合わせを、端末装置１のＲＦがサポートしているか否かをステップＳ２０１で判断する。
【０１２１】
サポートしていると判断された場合、端末装置１は、現在のセルを変更せずにＤ２Ｄの送受信が可能と判断し（ステップＳ２０１でＹｅｓ）、本フローの処理を終了する。一方、サポートしていないと判断された場合、端末装置１は、現在のセルを変更せずにＤ２Ｄの送受信が不可能と判断する（ステップＳ２０１でＮｏ）。
【０１２２】
続いて、端末装置１は、ステップＳ２０２で、セル選択における周波数のプライオリティの変更が許可されているか否かの判断を行う。
【０１２３】
基地局装置２は、端末装置１に対し、周波数のプライオリティを変更することが可能であるか否かを報知情報（システムインフォメーションメッセージ（ＳＩＢ１８））によってセル毎に通知してもよいし、個別のＲＲＣメッセージによって端末装置１毎に通知してもよい。または、端末装置１は、自端末装置における事前設定（Ｐｒｅ−ｃｏｎｆｉｇｕｒｅｄ）に従って周波数のプライオリティを変更することが可能であるか否かを判断してもよい。
【０１２４】
基地局装置２は、例えば、（１）あるセルの下りリンクの周波数に対応する（リンクする）上りリンクの周波数バンド毎にプライオリティの変更が可能か否かを下りリンクの周波数と共に示す方法、（２）あるセルの下りリンクの周波数に対応する（リンクする）上りリンクの周波数バンド毎にプライオリティの変更が可能か否かを下りリンクの周波数とは別に示す方法、などの方法を用いてプライオリティの変更が可能か否かを端末装置１に通知する。
【０１２５】
（１）と（２）の場合の例について、それぞれ図５と図６を用いて説明する。図５、および、図６は、基地局装置２から端末装置１へと通知される情報のデータ構造の一例をそれぞれ示したものである。
【０１２６】
図５は、端末装置１に対し、異周波数周辺セルリスト（ＩｎｔｅｒＦｒｅｑＮｅｉｇｈＣｅｌｌＬｉｓｔ）が通知される例を示している。異周波数周辺セルリストは、さらに、下りリンク周波数情報（ｄｌ−ＣａｒｒｉｅｒＦｒｅｑ）を含む。下りリンク周波数情報は、さらに、上りリンク周波数情報（ｕｌ−ＣａｒｒｉｅｒＦｒｅｑ）、Ｄ２Ｄ情報（Ｄ２Ｄ  Ｉｎｆｏｒｍａｔｉｏｎ）を含む。下りリンク周波数情報、上りリンク周波数情報、Ｄ２Ｄサポート情報は、周波数（または周波数バンド）を単位として、それぞれ複数（＃０〜＃ｎ）の情報を含めることができる。
【０１２７】
また、Ｄ２Ｄ情報は、上りリンク周波数（ｕｌ−ＣａｒｒｉｅｒＦｒｅｑ）でＤ２Ｄをサポートしているか否かを示す情報、および／または、セル再選択手順において下りリンク周波数（ｄｌ−ＣａｒｒｉｅｒＦｒｅｑ）の周波数プライオリティの変更が可能か否かを示す情報を含む。これらの情報は、それぞれ明示的に示してもよいし、暗黙的に示してもよい。
【０１２８】
例えば、セル再選択手順において下りリンク周波数（ｄｌ−ＣａｒｒｉｅｒＦｒｅｑ）の周波数プライオリティの変更が可能か否かを示す情報は、明示的であれば、変更が許可される場合は「Ａｌｌｏｗｅｄ」、変更が許可されない場合は「Ｎｏｔ−Ａｌｌｏｗｅｄ」が設定されて通知されてもよいし、暗黙的であれば、変更が許可される場合は「Ａｌｌｏｗｅｄ」が設定され、変更が許可されない場合は何も通知されなくてもよい。
【０１２９】
端末装置１は、下りリンク周波数がｄｌ−ＣａｒｒｉｅｒＦｒｅｑ、上りリンク周波数がｕｌ−ＣａｒｒｉｅｒＦｒｅｑで構成されるセルについて、Ｄ２Ｄ情報に基づいて、上りリンク周波数（ｕｌ−ＣａｒｒｉｅｒＦｒｅｑ）でＤ２Ｄをサポートしているか否か、および／または、セル再選択手順において下りリンク周波数（ｄｌ−ＣａｒｒｉｅｒＦｒｅｑ）の周波数プライオリティの変更が可能か否か、を少なくとも判断することができる。
【０１３０】
図６は、端末装置１に対し、上りリンク周波数周辺セルリスト（ＵＬ−ＩｎｔｅｒＦｒｅｑＮｅｉｇｈＣｅｌｌＬｉｓｔ）が通知される例を示している。上りリンク周波数周辺セルリストは、さらに、上りリンク周波数情報（ｕｌ−ＣａｒｒｉｅｒＦｒｅｑ）、Ｄ２Ｄ情報（Ｄ２Ｄ  Ｉｎｆｏｒｍａｔｉｏｎ）を含む。上りリンク周波数情報、Ｄ２Ｄサポート情報は、周波数（または周波数バンド）を単位として、それぞれ複数（＃０〜＃ｎ）の情報を含めることができる。
【０１３１】
上りリンク周波数周辺セルリストは、端末装置１に対して別に通知される下りリンク周波数周辺セルリストに対応している。すなわち、下りリンク周波数周辺セルリストにエントリーされている下りリンク周波数（ｄｌ−ＣａｒｒｉｅｒＦｒｅｑ）の順番と、上りリンク周波数周辺セルリストにエントリーされている上りリンク周波数（ｕｌ−ＣａｒｒｉｅｒＦｒｅｑ）とが対応する。例えば、下りリンク周波数周辺セルリストにおけるｄｌ−ＣａｒｒｉｅｒＦｒｅｑ＃ｎは、上りリンク周波数周辺セルリストにおけるｕｌ−ＣａｒｒｉｅｒＦｒｅｑ＃ｎに対応する（リンクする）。
【０１３２】
端末装置１は、下りリンク周波数がｄｌ−ＣａｒｒｉｅｒＦｒｅｑ、上りリンク周波数がｕｌ−ＣａｒｒｉｅｒＦｒｅｑで構成されるセルについて、Ｄ２Ｄ情報に基づいて、上りリンク周波数（ｕｌ−ＣａｒｒｉｅｒＦｒｅｑ）でＤ２Ｄをサポートしているか否か、および／または、セル再選択手順において下りリンク周波数（ｄｌ−ＣａｒｒｉｅｒＦｒｅｑ）の周波数プライオリティの変更が可能か否か、を少なくとも判断することができる。
【０１３３】
なお、基地局装置２は、ＴＤＤバンドであれば、上りリンク周波数情報（ｕｌ−ＣａｒｒｉｅｒＦｒｅｑ）を含めなくてもよい。すなわち、基地局装置２は、異周波数周辺セルリストに含まれる周波数がＦＤＤバンドである場合に、Ｄ２Ｄ情報に加えて上りリンク周波数情報（ｕｌ−ＣａｒｒｉｅｒＦｒｅｑ）を含める。
【０１３４】
このように、端末装置１は、基地局装置２から通知される周辺セルリストの情報に基づいて、セル再選択手順における周波数のプライオリティを変更が許可されているか否かをステップＳ２０２で判断する。
【０１３５】
周波数のプライオリティの変更が許可されていると判断された場合（ステップＳ２０２でＮｏ）、端末装置１は、現在の在圏セルではＤ２Ｄの送受信が不可能と判断する。一方、周波数のプライオリティの変更が許可されていると判断された場合（ステップＳ２０２でＹｅｓ）、Ｄ２Ｄセル選択処理を行う（ステップＳ２０３）。
【０１３６】
端末装置１は、Ｄ２Ｄセル選択処理において、Ｄ２Ｄの送受信をサポートしている上りリンク周波数に対応する下りリンク周波数のプライオリティの値を、報知情報で通知された値に関係なく、最も高い（Ｈｉｇｈｅｓｔ）プライオリティの値であるとみなす。より詳細には、端末装置１は、報知情報によって通知される周波数プライオリティの値（０〜７）を超える値（例えば８）が、かかる周波数のプライオリティであるとみなす。
【０１３７】
図４の例を用いて説明する。端末装置１が通常キャンプしている周波数がＤＬ＃０であり、かつ、Ｄ２Ｄの送受信をサポート（許可）している周波数（Ｄ２Ｄ  ｓｕｐｐｏｒｔｅｄ  ｆｒｅｑｕｅｎｃｙ）がＵＬ＃１であるとする。また、端末装置１のＲＦが、第１の組み合わせと第３の組み合わせのみが可能である場合、ＤＬ＃０のセルに通常キャンプした状態ではＤ２Ｄが送受信できないと判断されるが、基地局装置２からのＤ２Ｄ情報に基づいて、ＵＬ＃１に対応するＤＬ＃１の周波数のプライオリティの値の変更が許可されている場合、端末装置１は、ＤＬ＃１の周波数のプライオリティを最も高い値とみなしてセル再選択手順を開始することができる。
【０１３８】
なお、基地局装置２から端末装置１に対し、Ｄ２Ｄをサポートしている周波数のセルを評価する場合においてのみ適用される、Ｄ２Ｄに関するセル再選択用の特別なオフセット値が通知されてもよい。
【０１３９】
図７は、本発明の第１の実施形態におけるセルの選択に関するフローチャート図の別の一例を示したものである。
【０１４０】
端末装置１は、図７において、ステップＳ３０１の処理（判断）は、図３のステップＳ２０１のＤ２Ｄの送受信が可能であるか否かの判断と同様の処理を行ってよい。また、端末装置１は、図７のステップＳ３０２の処理（判断）は、図３のステップＳ２０２のセル選択における周波数のプライオリティの変更が許可されているか否かの判断と同様の処理を行ってよい。また、端末装置１は、図７のステップＳ３０３の処理（判断）は、図３のステップＳ２０３のＤ２Ｄセル選択処理と同様の処理を行ってよい。
【０１４１】
図３との違いは、端末装置１が、ステップＳ３０２において、周波数のプライオリティの変更が許可されているか否かの判断を行った結果、周波数のプライオリティの変更が許可されていないと判断した場合（ステップＳ３０２でＮｏ）に、Ｄ２Ｄギャップ処理（ステップＳ３０４）を行うことである。
【０１４２】
Ｄ２Ｄギャップ処理において、端末装置１は、Ｄ２Ｄをサポートする周波数（周波数バンド）のプライオリティの変更が許可されていない場合であっても、端末装置１が取りうるＲＦの組み合わせに基づいてＤ２Ｄをサポートする周波数での送受信が可能である場合、端末装置１で自律的にギャップを生成し、かかる周波数でＤ２Ｄの送受信を試みてもよい。
【０１４３】
図４の例を用いて説明する。端末装置１は、ＲＦの取りうる組み合わせとして、第１の組み合わせと第３の組み合わせをサポートしている。また、セル再選択における周波数の変更が許可されていないとする。端末装置１が通常キャンプしている周波数がＤＬ＃０であり、かつ、Ｄ２Ｄの送受信をサポート（許可）している周波数（Ｄ２Ｄ  ｓｕｐｐｏｒｔｅｄ  ｆｒｅｑｕｅｎｃｙ）がＵＬ＃１であるとする。
【０１４４】
端末装置１は、ＲＦの組み合わせとして第１の組み合わせを用いている。このとき、端末装置１は、ＤＬ＃０のセルに通常キャンプした状態でＤ２Ｄは送受信できないと判断し、周辺セルのＤ２Ｄ情報に基づいて自律的に判断したタイミング（Ｄ２Ｄギャップ、アイドルギャップ）で、周波数バンドＢａｎｄ＃０から周波数バンドＢａｎｄ＃１へとＲＦを切り替える。すなわち、端末装置１は、ＵＬ＃１においてＤ２Ｄの送受信を行うために、ＲＦの組み合わせを第１の組み合わせから第３の組み合わせに変更する。
【０１４５】
図８は、端末装置１が、通常キャンプしている周波数（周波数バンド）から、自律的なギャップのタイミングでＤ２Ｄをサポートする周波数（周波数バンド）の送受信を行うことを示した図である。図の横軸は時間の経過を示しており、図の下段は端末装置１が通常キャンプしているセルの下りリンク周波数（ＤＬ  ｆｒｅｑｕｅｎｃｙ＃０）での端末装置１の動作を示し、図の上段は、端末装置１が通常キャンプしているセルの上りリンク周波数（ＵＬ  ｆｒｅｑｕｅｎｃｙ＃０（図示せず））とは異なる、Ｄ２Ｄをサポートする上りリンク周波数（ＵＬ  ｆｒｅｑｕｅｎｃｙ＃１）での端末装置１の動作を示す。
【０１４６】
端末装置１は、アイドル状態であり、ページングの受信間隔（Ｐａｇｉｎｇ  Ｐｅｒｉｏｄ）で間欠的に基地局装置２からの送信信号（ＰＤＣＣＨ）をモニタしている。
【０１４７】
図８において、端末装置１は、時間Ｔ０で共通探索領域（コモンサーチスペース）において、Ｐ−ＲＮＴＩ（Ｐａｇｉｎｇ−Ｒａｄｉｏ  Ｎｅｔｗｏｒｋ  Ｔｅｍｐｏｒａｒｙ  Ｉｄｅｎｔｉｔｙ）でＣＲＣがマスクされたＰＤＣＣＨをモニタし、ページングの受信を試みる。ページングの受信はアクティブタイム（Ａｃｔｉｖｅ  Ｔｉｍｅ）と呼ばれるＰＤＣＣＨのモニタが必要な時間長において行われる。
【０１４８】
アクティブタイムの終了から、次にページングの受信を試みるまで（時間Ｔ３）の間、端末装置１は、通常キャンプしているセルに対する送受信処理を行わなくてよい期間だとみなし、アイドルギャップ（Ｉｄｌｅ  ｇａｐ）を生成可能であると判断する。端末装置１は、ＳＡおよびＤ２Ｄのデータ送受信のためのリソースプールが設定される区間（図では、時間Ｔ１から時間Ｔ２までの間）において、上りリンク周波数（ＵＬ  ｆｒｅｑｕｅｎｃｙ＃１）においてＤ２Ｄの送受信を試みる。
【０１４９】
より具体的には、端末装置１は、アイドルギャップの区間において、Ｄ２Ｄをサポートする上りリンク周波数（ＵＬ  ｆｒｅｑｕｅｎｃｙ＃１）で、ＳＡリソースプールにおいてＳＡを受信、および／または、送信し、Ｄ２ＤデータリソースプールにおいてＤ２Ｄに関するデータを受信、および／または、送信する。なお、端末装置１は、Ｄ２Ｄの受信にのみ興味がある場合、Ｄ２Ｄに関する受信処理のみを行ってもよい。同様に、端末装置１は、Ｄ２Ｄの送信にのみ興味がある場合、Ｄ２Ｄに関する送信処理のみを行ってもよい。
【０１５０】
アイドルギャップのギャップ長は端末装置１が自律的に判断する。アイドルギャップのギャップ長は、典型的には、端末装置１が興味のあるＤ２Ｄに関するＳＡとＤ２Ｄデータをそれぞれ受信できるだけの長さが最低限保証されていればよい。
【０１５１】
図中でのＳＡリソースプールとＤ２Ｄデータリソースプールは、送信用と受信用のリソースプールとをそれぞれ含む。送信用のリソースプールと受信用のリソースプールは、時分割多重されていてもよいし、周波数多重されていてもよい。また、送信用のＳＡリソースプールと送信用のＤ２Ｄデータリソースプールのセットと、受信用のＳＡリソースプールと受信用のＤ２Ｄデータリソースプールのセットとが、時分割多重、または周波数多重されていてもよい。
【０１５２】
時間Ｔ３以降の処理は、端末装置１がＤ２Ｄに興味のある間、コネクティッド状態に移行するまで、または、セル再選択によって別のセルを選択するまで時間Ｔ０から時間Ｔ３の処理を繰り返してよい。
【０１５３】
以下に、Ｄ２Ｄが可能な端末装置１が周波数のプライオリティの値を最も高い値に変更するための条件について説明する。すなわち、端末装置１が、キャンプしている周波数のセルではＤ２Ｄが送受信できない状態にある場合に、Ｄ２Ｄをサポートする周波数のプライオリティの値を、報知情報で通知された値から最も高い値に変更するためのトリガ条件（第１の条件）について説明する。
【０１５４】
端末装置１は、例えば、（１）端末装置１がＤ２Ｄの送受信に関してネットワークまたは外部機器によって認証（Ａｕｔｈｏｒｉｚｅ）されたとき、（２）端末装置１がキャンプしたセルの報知情報からＤ２Ｄに関する情報を取得したとき、（３）ＮＡＳ層やアプリケーションレイヤ層などの上位レイヤからＤ２Ｄの開始が通知されたとき、（４）実行中のＤ２Ｄよりもさらに優先度の高いＤ２Ｄのサービスを開始するとき、（５）Ｄ２Ｄに対応するＰＤＣＰエンティティおよび／またはＲＬＣエンティティが確立（Ｅｓｔａｂｌｉｓｈｍｅｎｔ）されたとき、にトリガ条件が成立した（加入条件を満たした）とみなしてもよい。
【０１５５】
端末装置１は、典型的にはＤ２Ｄセル選択処理（図３のステップＳ２０３、図７のステップＳ３０３）の前にトリガ条件が成立したかの判断を行うが、このタイミングに制限されずに、いずれのタイミングで判断してもよい。
【０１５６】
端末装置１は、トリガ条件であるＤ２Ｄの開始について、Ｄ２Ｄに関するデータの受信の開始と、Ｄ２Ｄに関するデータの送信の開始とに分類してもよい。例えば、端末装置１は、Ｄ２Ｄに関するデータの受信の開始のみをトリガ条件とし、Ｄ２Ｄに関するデータの送信の開始をトリガ条件としなくてもよいし、その逆も可能である。
【０１５７】
端末装置１は、これらのトリガ条件を、それぞれ単独で用いてもよいし、複数組み合わせて用いてもよい。トリガ条件は複数あってもよい。また、これらのトリガ条件のどれを用いるか（または、用いないか）について、基地局装置２からセル毎、または端末装置１ごとに通知されてもよいし、事前に設定されていてもよい。なお、これ以外のトリガ条件が設定されてもよい。
【０１５８】
なお、端末装置１は、通常キャンプしているセルがＤ２Ｄをサポートしていない場合、基地局装置２から通常キャンプしているセルでＭｏｄｅ１をサポートしていないことが報知情報で通知されている場合、ＲＲＣ接続確立手順におけるＲＲＣ接続拒否（ＲＲＣ  Ｃｏｎｎｅｃｔｉｏｎ  Ｒｅｊｅｃｔ）に関するＲＲＣタイマーを計時している場合、ＲＲＣ接続確立の制限に関するＲＲＣタイマーを計時している場合、基地局装置２によって既に個別のプライオリティが設定されている場合、または、無線リソース制御接続再確立（ＲＲＣ接続再確立、ＲＲＣ  Ｃｏｎｎｅｃｔｉｏｎ  Ｒｅ−ｅｓｔａｂｌｉｓｈｍｅｎｔ）手順に関するＲＲＣタイマーを計時している場合などのように、Ｍｏｄｅ２のＤ２Ｄを開始する必要がある場合を、別のトリガ条件、または、周波数のプライオリティの変更に関する前提条件とみなしてもよい。
【０１５９】
一方、端末装置１は、Ｍｏｄｅ１のＤ２Ｄを開始することが可能な場合は、周波数のプライオリティの値を変更してセル再選択を行う代わりに、Ｍｏｄｅ１のＤ２Ｄを開始してもよい。
【０１６０】
例えば、基地局装置２においてコネクティッド状態でのＤ２Ｄが許可されている場合、すなわち、Ｍｏｄｅ１でのＤ２Ｄが通常キャンプしているセルで許可されている場合、端末装置１は、関係する周波数のプライオリティの値を変更してセル再選択手順を行ってもよいし、Ｍｏｄｅ１のＤ２Ｄを開始するためにＲＲＣ接続確立手順を開始してもよい。基地局装置２は、Ｍｏｄｅ１のＤ２Ｄを端末装置１に対して開始させる場合、ハンドオーバ手順を用いて端末装置１をＤ２Ｄの送受信をサポートしているセルへ移動させることができる。
【０１６１】
端末装置１は、Ｄ２Ｄを送信する端末装置１であるときにＲＲＣ接続確立手順を開始し、Ｄ２Ｄを受信する端末装置１であるときに周波数のプライオリティの値を変更してもよい。または、端末装置１は、Ｄ２Ｄの送信を行っていないときに周波数のプライオリティの値を変更してもよい。
【０１６２】
以下に、Ｄ２Ｄが可能な端末装置１が周波数のプライオリティの値を最も高い値から変更する（戻す）ための条件について説明する。すなわち、端末装置１が、Ｄ２Ｄをサポートする周波数のプライオリティの値を、報知情報で通知された値から最も高い値に変更した状態において、かかる周波数のプライオリティの値を変更（削除）し、報知情報で通知された値を用いるためのトリガ条件（第２の条件）について説明する。
【０１６３】
端末装置１は、例えば、（１）Ｄ２Ｄに興味がなくなったとき、（２）コネクティッド状態に移行するとき、（３）セル再選択によって別のセルを選択したとき、（４）実行中のＤ２Ｄよりもさらに優先度の高いＤ２Ｄのサービスを開始するとき、（５）Ｄ２Ｄに対応するＰＤＣＰエンティティおよび／またはＲＬＣエンティティがリリースされたとき、（６）個別のＲＲＣメッセージによってある周波数に対して別のプライオリティが設定されたとき、にトリガ条件が成立しなくなった（離脱条件を満たした）とみなしてもよい。
【０１６４】
端末装置１は、ＮＡＳ層やアプリケーションレイヤ層などの上位レイヤからＤ２Ｄに興味がなくなったことを通知されてもよい。端末装置１は、Ｄ２Ｄの送受信が終了してからある一定時間経過した場合に、Ｄ２Ｄに興味がなくなったとみなしてもよい。
【０１６５】
また、端末装置１は、ＲＲＣ接続確立手順が開始されたタイミングや、ＲＲＣ接続確立手順に関するタイマ（Ｔ３００）が開始されたタイミングにおいて、コネクティッド状態に移行したと判断してもよい。
【０１６６】
なお、個別のＲＲＣメッセージによってある周波数に対して別のプライオリティが設定（通知）されたとき、端末装置１は、ＲＲＣメッセージによってプライオリティが設定された周波数以外の、Ｄ２Ｄをサポートする周波数を含む、周辺セル情報によって通知された全てのプライオリティの値を無視してもよい。
【０１６７】
端末装置１は、これらのトリガ条件を、それぞれ単独で用いてもよいし、複数組み合わせて用いてもよい。トリガ条件は複数あってもよい。また、これらのトリガ条件のどれを用いるか、または、用いないかについて、基地局装置２からセル毎、または端末装置１毎に通知されてもよいし、事前に設定されていてもよい。なお、これ以外のトリガ条件が設定されてもよい。
【０１６８】
このように構成することによって、端末装置１は、Ｄ２Ｄに興味がある場合に、自端末装置に実装されているＲＦの組み合わせ（ＲＦ  Ｃａｐａｂｉｌｉｔｙ）と、Ｄ２Ｄをサポートする周波数（周波数バンド）と、自端末装置がキャンプしている周波数（周波数バンド）とに基づいて、Ｄ２Ｄをサポートする周波数における送受信が可能であるかを判断することができる。また、端末装置１は、Ｄ２Ｄをサポートする周波数において送受信が可能ではない場合、基地局装置２から通知されるＤ２Ｄ情報に基づいて、Ｄ２Ｄをサポートする周波数のプライオリティを変更したセル再選択手順を行うことができる。
【０１６９】
また、端末装置１は、Ｄ２Ｄをサポートする周波数において送受信が可能ではない場合、基地局装置２から通知される周辺セル情報（Ｄ２Ｄ情報）に基づいて、自律的なギャップを用いてＤ２Ｄをサポートする周波数で送受信を行うことができる。また、基地局装置２は、周辺セル情報を通知することによって、端末装置１に対し、Ｄ２Ｄをサポートする周波数のプライオリティを変更したセル再選択手順の許可を通知することができる。
【０１７０】
第１の実施形態によれば、端末装置１は、Ｄ２Ｄに興味がある場合に、Ｄ２Ｄに関する通信方法として、基地局装置２からの周辺セル情報（Ｄ２Ｄ情報）に基づいてＤ２Ｄをサポートする周波数のプライオリティを変更することによって、Ｄ２Ｄのサービスを提供可能な周波数のセルに適切にキャンプできるため、Ｄ２Ｄに対応した通信と、Ｄ２Ｄに関連する通信手順を効率的に行うことができる。また、基地局装置２は、自基地局装置、および／または周辺セルの周波数のキャパシティに基づき、端末装置１に対してＤ２Ｄをサポートする周波数のプライオリティを変更したセル再選択手順の許可または不許可を通知することによって、周波数間の負荷バランス（Ｌｏａｄ  Ｂａｌａｎｃｅ）を調整することができるため、Ｄ２Ｄに対応した通信と、Ｄ２Ｄに関連する通信手順をそれぞれ効率的に行うことができる。
【０１７１】
＜第２の実施形態＞
本発明の第２の実施形態について以下に説明する。
【０１７２】
第１の実施形態では、端末装置１が通常キャンプしているセルでＤ２Ｄをサポートする周波数の送受信ができない場合、かかる周波数の優先度を他の周波数よりも高く設定するセル再選択方法について示した。
【０１７３】
第２の実施形態では、端末装置１が通常キャンプしているセルでＤ２Ｄをサポートする周波数の送受信ができる場合であっても、かかる周波数の優先度を他の周波数よりも高く設定するセル再選択方法について示す。
【０１７４】
第２の実施形態の端末装置１と基地局装置２の構成は第１の実施形態と同じ構成でよいため説明を省略する。なお、第２の実施形態で用いられるトリガ条件は第１の実施形態と同じで良い。
【０１７５】
図４の例を用いて第２の実施形態を説明する。端末装置１は、ＲＦの取りうる組み合わせとして、第１の組み合わせから第３の組み合わせの全てをサポートしている。端末装置１が通常キャンプしている周波数がＤＬ＃０であり、かつ、Ｄ２Ｄの送受信をサポート（許可）している周波数（Ｄ２Ｄ  ｓｕｐｐｏｒｔｅｄ  ｆｒｅｑｕｅｎｃｙ）がＵＬ＃１であるとする。基地局装置２は、端末装置１に対し、少なくともＤ２Ｄの送受信をサポート（許可）している周波数を示す異周波数周辺セルリスト（ＩｎｔｅｒＦｒｅｑＮｅｉｇｈＣｅｌｌＬｉｓｔ）を通知する。
【０１７６】
このとき、端末装置１は、基地局装置２から異周波数周辺セルリストからＤ２Ｄの送受信をサポートしている周波数の情報を取得することによって、第２の組み合わせを用いてＤＬ＃０のセルで下りリンクをモニタしながらＵＬ＃１でＤ２Ｄの送受信を行うこと、および／または、第３の組み合わせを用いてＤＬ＃１のセルで下りリンクをモニタしながらＵＬ＃１でＤ２Ｄの送受信を行うことが可能であると判断できる。この場合、端末装置１は、ＤＬ＃０と、ＤＬ＃１の周波数のプライオリティを共に最も高い値とみなしてセル再選択手順を開始する。
【０１７７】
換言すれば、端末装置１は、端末装置１がＤ２Ｄの送受信をサポートしている上りリンク周波数に対応するＲＦの組み合わせが複数ある場合、その複数のＲＦの組み合わせに対応する周波数のプライオリティを最も高い値とみなしてセル再選択手順を行ってよい。
【０１７８】
なお、端末装置１は、端末装置１が通常キャンプしているセルの下りリンク周波数を変更せずにＤ２Ｄの送受信ができない場合、第１の実施形態で示したいずれかの方法を用いることによって、Ｄ２Ｄをサポートする周波数のプライオリティを変更したセル再選択手順を行うことができる。
【０１７９】
このように構成することによって、端末装置１は、Ｄ２Ｄに興味がある場合に、自端末装置に実装されているＲＦの組み合わせ（ＲＦ  Ｃａｐａｂｉｌｉｔｙ）と、Ｄ２Ｄをサポートする周波数（周波数バンド）とに基づいて、Ｄ２Ｄをサポートする周波数における送受信が可能であるかを判断することができる。端末装置１は、Ｄ２Ｄをサポートする周波数において送受信が可能である場合、送受信が可能となる全てのＲＦの組み合わせにおいて、対応する周波数のプライオリティを変更したセル再選択手順を行うことができる。
【０１８０】
また、基地局装置２は、周辺セルの周辺セル情報（Ｄ２Ｄ情報）を通知することによって、端末装置１に対し、ＲＦの組み合わせに対応する周波数のプライオリティを変更したセル再選択手順の許可を通知することができる。
【０１８１】
第２の実施形態によれば、端末装置１は、Ｄ２Ｄに興味がある場合に、Ｄ２Ｄに関する通信方法として、基地局装置２からの周辺セル情報（Ｄ２Ｄ情報）に基づいて、自端末装置のＲＦの組み合わせに対応する全ての周波数のプライオリティを変更することによって、Ｄ２Ｄのサービスを提供可能な周波数のセルに適切にキャンプできるため、Ｄ２Ｄに対応した通信と、Ｄ２Ｄに関連する通信手順を効率的に行うことができる。また、基地局装置２は、自基地局装置、および／または周辺セルの周波数のキャパシティに基づき、端末装置１に対して対応する周波数のプライオリティを変更したセル再選択手順の許可または不許可を通知することによって、周波数間の負荷バランス（Ｌｏａｄ  Ｂａｌａｎｃｅ）を調整することができるため、Ｄ２Ｄに対応した通信と、Ｄ２Ｄに関連する通信手順をそれぞれ効率的に行うことができる。
【０１８２】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０１８３】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０１８４】
また、端末装置１とは、可搬型あるいは可動型の移動局装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置、さらに身に着けることが可能なウェアラブル機器やヘルスケア機器などに対し通信機能を搭載したものを含む。また、端末装置１は、人対人または人対機器の通信だけではなく、機器対機器の通信（Ｍａｃｈｉｎｅ  Ｔｙｐｅ  Ｃｏｍｍｕｎｉｃａｔｉｏｎ、マシンタイプ通信）にも用いられる。
【０１８５】
端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置２は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１８６】
なお、基地局装置２は、３ＧＰＰが規定するＵＭＴＳにおいてＮＢと称され、ＥＵＴＲＡにおいてｅＮＢと称される。なお、３ＧＰＰが規定するＵＭＴＳ、ＥＵＴＲＡにおける端末装置１はＵＥと称される。
【０１８７】
また、説明の便宜上、機能的なブロック図を用いて、端末装置１および基地局装置２の各部の機能またはこれらの機能の一部を実現するための方法、手段、またはアルゴリズムのステップについて具体的に組み合わせて記載したが、これらは、ハードウェア、プロセッサによって実行されるソフトウェアモジュール、または、これらを組み合わせたものによって、直接的に具体化され得る。
【０１８８】
もしハードウェアによって実装されるのであれば、端末装置１および基地局装置２は説明したブロック図の構成以外に端末装置１および基地局装置２へ電力を供給する給電装置やバッテリー、液晶などのディスプレイ装置及びディスプレイ駆動装置、メモリ、入出力インターフェース及び入出力端子、スピーカー、その他の周辺装置によって構成される。
【０１８９】
もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１９０】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なっても良い。なお、ここでいう「コンピュータシステム」とは、ＯＳや周辺機器等のハードウェアを含むものとする。
【０１９１】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。
【０１９２】
また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０１９３】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１９４】
また、上記プログラムは、前述した機能の一部を実現するためのものであっても良く、さらに、前述した機能をコンピュータシステムに既に記録されているプログラムとの組み合わせで実現できるものであっても良い。
【０１９５】
また、上記各実施形態に用いた端末装置１および基地局装置２の各機能ブロック、または諸特徴は、本明細書で述べられた機能を実行するように設計された汎用用途プロセッサ、デジタルシグナルプロセッサ（ＤＳＰ）、特定用途向けの集積回路（ＡＳＩＣ）あるいは一般用途向けの任意の集積回路（ＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。
【０１９６】
汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または上述した各回路は、デジタル回路で構成されていてもよいし、アナログ回路で構成されていてもよい。
【０１９７】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０１９８】
以上、この発明の実施形態について具体例に基づいて詳述してきたが、本発明の各実施形態の趣旨ならびに特許請求の範囲は、これらの具体例に限定されないことは明らかであり、この発明の要旨を逸脱しない範囲の設計変更等も含まれる。すなわち、本明細書の記載は例示説明を目的としたものであり、本発明の各実施形態に対して何ら制限を加えるものではない。
【０１９９】
また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も本発明の技術的範囲に含まれる。
【産業上の利用可能性】
【０２００】
本発明は、端末装置、基地局装置を含む通信装置その他の電子機器の分野で利用が可能である。
【符号の説明】
【０２０１】
１    端末装置
２    基地局装置
１０１、２０１    受信部
１０２、２０２    復調部
１０３、２０３    復号部
１０４、２０４    受信データ制御部
１０５、２０５    物理レイヤ制御部
１０６、２０６    送信データ制御部
１０７、２０７    符号部
１０８、２０８    変調部
１０９、２０９    送信部
１１０、２１０    無線リソース制御部
１１１    セル選択部
２１１    ネットワーク信号送受信部
【図１】
2016006560.tif 000003
【図２】
2016006560.tif 000004
【図３】
2016006560.tif 000005
【図４】
2016006560.tif 000006
【図５】
2016006560.tif 000007
【図６】
2016006560.tif 000008
【図７】
2016006560.tif 000009
【図８】
2016006560.tif 000010
【図９】
2016006560.tif 000011
【国際調査報告】
2016006560.tif 000012
2016006560.tif 000013